(57)【要約】【課題】放射性物質を含んだ汚染水を短時間で大量に浄化可能な放射性物質吸着フィルタ及び放射性物質吸着装置を提供する。【解決手段】放射性物質吸着材を担持した帯状の放射性物質吸着繊維基材が、その一側面に略同一形状の波形から成る波形中芯部材が接着されることにより、適当な間隔を隔てて複数積層される。波形中芯部材の間隙を流路として、放射性物質を含んだ汚染水が流され、放射性物質吸着繊維基材に放射性物質を吸着させることによって汚染水を浄化する。放射性物質吸着材はセシウムの吸着除去を行うプルシアンブルー類縁体である。【選択図】図１
2019066493.tif 000002
【特許請求の範囲】
【請求項１】
放射性物質吸着材を担持した放射性物質吸着繊維基材が、その一側面に基材間に空隙を形成する部材が配置されることにより、適当な間隔を隔てて複数積層された放射性物質吸着フィルタであって、
前記空隙を流路として、放射性物質を含んだ汚染水が流され、前記放射性物質吸着繊維基材に放射性物質を吸着させることによって汚染水を浄化し得ることを特徴とする放射性物質吸着フィルタ。
【請求項２】
放射性物質吸着材を担持した放射性物質吸着繊維基材が、その一側面に基材間に空隙を形成する部材が配置されることにより、適当な間隔を隔てて複数積層され、前記空隙が筒状に伸びるように長手方向が形成され、少なくとも長軸方向の両端が開口された矩形筒状フレームに長手方向を一致させて収納された放射性物質吸着フィルタであって、
前記空隙を流路として、長軸方向に放射性物質を含んだ汚染水が流され、前記放射性物質吸着繊維基材に放射性物質を吸着させることによって汚染水を浄化し得ることを特徴とする放射性物質吸着フィルタ。
【請求項３】
放射性物質吸着材を担持した放射性物質吸着繊維基材が、その一側面に基材間に空隙を形成する部材が配置され、巻回してなる放射性物質吸着フィルタであって、
前記空隙を流路として、放射性物質を含んだ汚染水が流され、前記放射性物質吸着繊維基材に放射性物質を吸着させることによって汚染水を浄化し得ることを特徴とする放射性物質吸着フィルタ。
【請求項４】
放射性物質吸着材を担持した放射性物質吸着繊維基材が、その一側面に基材間に空隙を形成する部材が配置され、前記部材が交互に直交するように積層された放射性物質吸着フィルタであって、
前記空隙を流路として、放射性物質を含んだ汚染水が流され、前記放射性物質吸着繊維基材に放射性物質を吸着させることによって汚染水を浄化し得ることを特徴とする放射性物質吸着フィルタ。
【請求項５】
前記基材間に空隙を形成する部材は、放射性物質吸着材を担持した放射性物質吸着繊維基材から成ることを特徴とする請求項１〜４の何れかの放射性物質吸着フィルタ。
【請求項６】
前記放射性物質吸着繊維基材が帯状であることを特徴とする請求項１〜５の何れかの放射性物質吸着フィルタ。
【請求項７】
前記基材間に空隙を形成する部材は、略同一形状の波形から成る波形中芯部材であることを特徴とする請求項１〜６の何れかの放射性物質吸着フィルタ。
【請求項８】
前記波形が交互に直交するように積層されたことを特徴とする請求項７の放射性物質吸着フィルタ。
【請求項９】
前記基材と前記基材間に空隙を形成する部材とが少なくとも一部で相互に固定されてなることを特徴とする請求項１〜８の何れかの放射性物質吸着フィルタ。
【請求項１０】
前記放射性物質吸着材は、主にセシウムの吸着除去を行うプルシアンブルー類縁体あるいはプルシアンブルーであることを特徴とする請求項１〜９の何れかに記載の放射性物質吸着フィルタ。
【請求項１１】
ネット状容器に、請求項１〜１０の何れかの放射性物質吸着フィルタが複数収容され、
前記ネット状容器に、ロープ状回収部材の一端が接続され、他端が外部装置と固定し得ることを特徴とする放射性物質吸着装置。
【発明の詳細な説明】
【技術分野】
【０００１】
本発明は、放射性物質吸着材を用いて、放射性物質を含む汚染水中の放射性物質を吸着し除去する放射性物質吸着フィルタ及び放射性物質吸着装置に関するものである。
【背景技術】
【０００２】
２０１１年３月１１日に発生した福島第一原子力発電所の事故のように、配管や圧力容器が破損した場合、例えば、ヨウ素１３１、セシウム１３４、セシウム１３７、ストロンチウム９８などの放射性物質を含有した原子炉冷却水が大量に漏出する可能性がある。これら放射性物質の内、セシウム１３７は半減期が３０年と長く、原子力発電所外に漏出した場合、長期間にわたって環境に悪影響を及ぼすこととなる。
【０００３】
このセシウム１３７を漏出した排水中から吸着除去するための放射性物質吸着材として、ゼオライトを担持した放射性物質回収シートが知られている（例えば、特許文献１を参照。）。
また、ゼオライトを用いたセシウム除去用水浄化フィルタカートリッジが知られている（特許文献２を参照）。これは、ゼオライト粒子を表面に固定した不織布を巻き回してなる濾過層を設け、セシウムを除去しようとしたものである。
しかしながら、ゼオライトを使用した場合、使用したゼオライトと同量の放射化した廃棄物が残存するという問題がある。
【０００４】
そこで、放射性物質吸着材として、プルシアンブルー類縁体を担持した親水性繊維基材からなるセシウム吸着材が知られている（例えば、特許文献３を参照。）。これは、繊維の内部にプルシアンブルー類縁体が固定化したものである。プルシアンブルーは一般に、水に不溶性の粉末物質であることから、かかるセシウム吸着材によれば、汚染水からセシウムを吸着して浄化することが可能である。
しかしながら、原子力発電所において汚染水から放射性物質を除去する場合、大量の汚染水を迅速に浄化する必要があるが、上記特許文献３に開示されたセシウム吸着材を利用したとしても、かかる吸着材を濾過材として用いるのみでは、迅速な浄化処理が実現されないという問題がある。
【０００５】
また、放射性物質を濾過するのではなく、吸着することにより、汚染水を浄化するものとして、糸材で編まれて形成された筒状織物にフェロシアン化化合物が担持された放射性物質吸着回収装置が知られている（特許文献４を参照）。
しかしながら、特許文献４に開示された装置は、河川や海水中に設置して使用するものであり、大量に流れ出る汚染水を迅速に浄化するものではない。
【０００６】
また、山地からダムやため池に流れ込む途中の流路等に用いる放射性セシウム吸着剤入り収納容器の設置構造が知られている（特許文献５を参照）。
しかしながら、かかる放射性セシウム吸着剤入り収納容器では、放射性物質の除去が十分になされないという問題がある。
【先行技術文献】
【特許文献】
【０００７】
【特許文献１】特開２０１５−９９１４０号公報
【特許文献２】特開２０１３−８８４１１号公報
【特許文献３】再表２０１３／２７６５２号公報
【特許文献４】特開２０１４−１２２８０９号公報
【特許文献５】特開２０１４−９８６４０号公報
【発明の概要】
【発明が解決しようとする課題】
【０００８】
放射性物質吸着材を用いて放射性物質を含む汚染排水からセシウム等の放射性物質を除去する場合、浄化に必要な放射性物質吸着材の総量は、単位面積当たりの吸着量と吸着速度に依存する。原子力規制庁が、原子力発電所における汚染排水の浄化に必要な基準として、例えば、汚染排水総量１２００トンという大量な汚染水を１時間で処理することを要求している。
【０００９】
かかる状況に鑑みて、本発明は、放射性物質を含んだ汚染水を、短時間で大量に浄化可能な放射性物質吸着フィルタ及び放射性物質吸着装置を提供することを目的とする。
【課題を解決するための手段】
【００１０】
本発明の放射性物質吸着フィルタは、汚染水を濾過して、放射性物質を除去するものではなく、汚染水が放射性物質吸着フィルタ内の間隙を流路として通過する際に、放射性物質吸着繊維基材の傍を流れることで、放射性物質が吸着され、汚染水から放射性物質を除去するものである。濾過という方法を用いないため、処理時間の短縮が図られ、大量の汚染水を迅速に浄化処理することが可能となる。
【００１１】
本発明の放射性物質吸着フィルタは、放射性物質吸着材を担持した放射性物質吸着繊維基材が、その一側面に基材間に空隙を形成する部材が配置、例えば、略同一形状の波形から成る波形中芯部材が接着されることにより、適当な間隔を隔てて複数積層された放射性物質吸着フィルタであって、上記空隙を流路、例えば、波形中芯部材の間隙を流路として、放射性物質を含んだ汚染水が流され、放射性物質吸着繊維基材に放射性物質を吸着させることによって汚染水を浄化できる。
略同一形状の波形から成る波形中芯部材が帯状の放射性物質吸着繊維基材に接着されることにより、汚染水が、流路である間隙を安定して流れる構造となっている。また、波形中芯部材自体がスペーサの役割を果たすこととなるため、スペーサを別途設ける必要がなく、放射性物質吸着フィルタの加工等が容易となる。波形の高さを調整することにより、帯状の放射性物質吸着繊維基材の間隔を調整すると共に、流路の断面積も調整できる。
【００１２】
本発明の放射性物質吸着フィルタは、放射性物質吸着材を担持した放射性物質吸着繊維基材が、その一側面に基材間に空隙を形成する部材が配置、例えば、略同一形状の波形から成る波形中芯部材が接着されることにより、適当な間隔を隔てて複数積層され、波形中芯部材の間隙などの空隙が筒状に伸びるように長手方向が形成され、少なくとも長軸方向の両端が開口された矩形筒状フレームに長手方向を一致させて収納された放射性物質吸着フィルタであって、波形中芯部材の間隙などの空隙を流路として、長軸方向に放射性物質を含んだ汚染水が流され、放射性物質吸着繊維基材に放射性物質を吸着させることによって汚染水を浄化できることでもよい。
放射性物質吸着フィルタが矩形筒状フレームに収納されることで、カートリッジとして使用することが容易となり、フィルタの脱着の利便性を高める。
【００１３】
ここで、矩形筒状フレームは、長軸方向の両端だけが開口され側面が塞がれているものだけでなく、長軸方向の両端が開口されており、かつ、側面も開口されているものも含まれる。矩形筒状フレームは、長軸方向に直線状に伸びるもの以外に、屈曲するものであってもよい。なお、矩形筒状フレームがフィルタの装着の観点から好ましいが、筒状フレームの断面が平行四辺形、台形、菱形などのその他の形状であってもフィルタの装着の仕方を調整することにより、筒状フレームとして用いることは可能である。矩形筒状フレームは、樹脂材料（高分子材料）等の可燃性物質で形成されていてもよい。可燃性物質で形成されることにより、使用後のフィルタを特別な処理を施すことなく、そのまま焼却処分することが可能となり、放射性廃棄物の減量が可能となる。
【００１４】
本発明の放射性物質吸着フィルタは、放射性物質吸着材を担持した放射性物質吸着繊維基材が、その一側面に基材間に空隙を形成する部材が配置、例えば、略同一形状の波形から成る波形中芯部材が接着され、ロール状に巻回してなる放射性物質吸着フィルタであって、波形中芯部材の間隙などの空隙を流路として、放射性物質を含んだ汚染水が流され、放射性物質吸着繊維基材に放射性物質を吸着させることによって汚染水を浄化できることでもよい。
放射性物質吸着フィルタがロール状とされることで、複数のフィルタを用いなくても、１枚のフィルタから積層構造を有する放射性物質吸着フィルタを容易に作製することができ、コストを低減することができる。なお、ロール状に巻回す際は、波形中芯部材などの基材間に空隙を形成する部材が外側となるように巻回してもよいし、波形中芯部材などの基材間に空隙を形成する部材が内側となるように巻回してもよい。
【００１５】
本発明の放射性物質吸着フィルタは、放射性物質吸着材を担持した放射性物質吸着繊維基材が、その一側面に基材間に空隙を形成する部材が配置、例えば、略同一形状の波形から成る波形中芯部材が接着され、波形など基材間に空隙を形成する部材が交互に直交するように積層された放射性物質吸着フィルタであって、波形中芯部材の間隙などの空隙を流路として、放射性物質を含んだ汚染水が流され、放射性物質吸着繊維基材に放射性物質を吸着させることによって汚染水を浄化できることでもよい。
放射性物質吸着フィルタが、波形中芯部材の波形が交互に直交するように積層されることで、直交する２方向の流路ができ、縦横いずれの方向からも汚染水が放射性物質吸着フィルタに流れ込むことが可能となる。これにより、放射性物質吸着フィルタの姿勢によらず、汚染水中の放射性物質を効率よく吸着することができる。
【００１６】
本発明の放射性物質吸着フィルタにおいて、波形中芯部材は、放射性物質吸着材を担持した帯状の放射性物質吸着繊維基材から成ることが好ましい。
波形中芯部材が、放射性物質吸着材を担持した帯状の放射性物質吸着繊維基材から成ることにより、波形中芯部材自体で放射性物質を吸着することが可能となり、フィルタの放射性物質吸着性能を高めることができる。また、別途スペーサを設ける必要がないことから、スペーサが設けられたフィルタよりも軽量化を図ることが可能である。
波形中芯部材とされる放射性物質吸着繊維基材は、波形状に成形されるため、帯状で設置する場合よりも長い部材を取り付けることが可能となる。これにより、汚染水と基材との接触面積を広くすることができ、大量の汚染水を効果的に処理することが可能となる。
【００１７】
ここで、放射性物質吸着材は、主にセシウムの吸着除去を行うプルシアンブルー類縁体あるいはプルシアンブルーであることが好ましい。
【００１８】
本発明の放射性物質吸着装置は、ネット状容器に、上記の何れかの放射性物質吸着フィルタが複数収容され、ネット状容器に、ロープ状回収部材の一端が接続され、他端が外部装置と固定し得ることでもよい。
ネット状容器を用いることで、装置自体の変形が容易となり、幅広い場所に設置可能となる。また、ロープ状回収部材が設けられることにより、設置及び回収作業が容易となる。
【発明の効果】
【００１９】
本発明の放射性物質吸着フィルタ及び放射性物質吸着装置によれば、放射性物質を含んだ汚染水を、短時間で大量に浄化できるといった効果がある。
【図面の簡単な説明】
【００２０】
【図１】実施例１の放射性物質吸着フィルタの斜視図
【図２】実施例１の放射性物質吸着フィルタの平面図
【図３】実施例１の放射性物質吸着シートの説明図であり、（１）は実施例１の放射性物質吸着シート、（２）は放射性物質吸着布を示している。
【図４】実施例２の放射性物質吸着フィルタの平面図
【図５】実施例２の放射性物質吸着フィルタの斜視図
【図６】実施例２の放射性物質吸着装置の説明図
【図７】実施例３の放射性物質吸着フィルタの斜視図
【図８】実施例３の放射性物質吸着フィルタの説明図
【図９】実施例３の放射性物質吸着装置の説明図
【発明を実施するための最良の形態】
【００２１】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００２２】
図１は、実施例１の放射性物質吸着フィルタの斜視図を示している。図１に示すように、フィルタ１ａは、放射性物質吸着シート２０及びフレーム３から成る。放射性物質吸着シート２０には波形中芯部材２１が設けられている。
【００２３】
図２は、実施例１の放射性物質吸着フィルタの平面図を示している。図２に示すように、放射性物質吸着シート２０は、放射性物質吸着布２及び波形中芯部材２１から成り、フレーム３の内側には、複数の放射性物質吸着シート２０が積層されている。波形中芯部材２１の材質は、放射性物質吸着布２と同じものが使用されているため、放射性物質吸着布２だけではなく、波形中芯部材２１も汚染水中に含まれる放射性物質を吸着することが可能である。
また、波形中芯部材２１は放射性物質吸着シート２０同士の間に間隙６を生じさせるスペーサの役割も果たしている。そのため、汚染水の流路を確保することができる構造となっている。
【００２４】
図３は、実施例１の放射性物質吸着シートの説明図を示している。図３（１）では、例として、放射性物質吸着シート（２０ｅ，２０ｆ）が積層された断面図を示している。図３（１）に示すように、放射性物質吸着シート２０ｅは、放射性物質吸着布２ｅ及び波形中芯部材２１ｅから成る。放射性物質吸着布２ｅと波形中芯部材２１ｅは、図示しないが接着剤によって接着されている。また、放射性物質吸着布２ｆと波形中芯部材２１ｆについても同様に接着されている。
波形中芯部材（２１ｅ，２１ｆ）は、シート同士の間に間隙６を生じさせ、汚染水が流入しやすくするために設けられたものであるため、放射性物質吸着シート２０ｅと放射性物質吸着シート２０ｆについて接着の必要はなく、接着はされていない。但し、放射性物質吸着シート２０の運搬や取付け等の利便性を向上させるために、接着されていても構わない。
【００２５】
図３（２）では、実施例１との比較のために、放射性物質吸着布（２ｇ〜２ｊ）を単に積層したものを表している。図３（１）及び（２）を比較すると、放射性物質吸着シート（２０ｅ，２０ｆ）の長さＬ１と、放射性物質吸着布（２ｇ〜２ｊ）の長さＬ２は、同じ長さであるが、波形中芯部材（２１ｅ，２１ｆ）が波形に成形されている分、長く設けられている。したがって、放射性物質吸着シート（２０ｅ，２０ｆ）の方が、放射性物質吸着布（２ｇ〜２ｊ）よりも汚染水との接触面積が広くなり、より多くの汚染水を効果的に処理することが可能な構造となっている。
【実施例２】
【００２６】
図４は、実施例２の放射性物質吸着フィルタの平面図を示している。図４に示すように、フィルタ１ｂは、放射性物質吸着布２及び波形中芯部材２１から成る。具体的には、実施例１で示した放射性物質吸着シート２０の波形中芯部材２１が設けられた面を外側にして、ロール状に丸めたものである。ロール状にする方法としては、図４に示すような波形が外側に向く外巻きだけではなく、放射性物質吸着シート２０の波形中芯部材２１が設けられた面を内側にする内巻きのいずれの方法も利用可能である。
フィルタ１ｂには、多数の間隙６が設けられているため、間隙６を流れる汚染水が放射性物質吸着布に触れやすい構造となっており、大量の汚染水を効果的に処理することができる。
【００２７】
図５は、実施例２の放射性物質吸着フィルタの斜視図を示している。図５に示すように、フィルタ１ｂは筒状を呈しており、その高さＨ１は１５０ｍｍ、直径Ｒは１５０ｍｍとなっている。フィルタ１ｂは、使用する放射性物質吸着シート２０の長さや幅を変えることで、自在に大きさを調整して成形することが可能である。
【００２８】
図６は、実施例２の放射性物質吸着装置の説明図を示している。図６に示すように、放射性物質吸着装置１１は、複数のフィルタ１ｂ、ネット状容器１２及びロープ１３から成り、フィルタ１ｂはネット状容器１２の中に入れられている。ネット状容器１２には回収ロープ１３が設けられている。
放射性物質吸着装置１１は、浄化枡５３に配置されている。浄化枡５３は、取水口５６から汚染水５が流入し、浄化水７が排出口５４へと流れ出る構造である。
【００２９】
放射性物質吸着装置１１を浄化枡５３に設置する際には、グレーチング５８を取り外し、浄化枡５３の中に放射性物質吸着装置１１を沈めて行う。ネット状容器は軟質の素材で形成されているため、変形が容易であり、浄化枡５３の形状に合わせて、設置することが可能である。また、図６に示すように、放射性物質吸着装置１１を２つ重ねて設置することも可能である。なお、設置場所の形状等によっては、３つ以上設置することも可能である。
回収の際には、各放射性物質吸着装置１１に設けられた回収ロープ１３を把持して引き上げることで、容易に回収が可能である。また、回収ロープ１３は、放射性物質吸着装置１１が流れて排出口５４を塞いでしまう等の配管のつまりを防止する役割も果たしている。
【実施例３】
【００３０】
図７は、実施例３の放射性物質吸着フィルタの斜視図を示している。図７に示すように、フィルタ１ｃは、複数の放射性物質吸着シート２０から成り、放射性物質吸着シート２０は、放射性物質吸着布２及び波形中芯部材２１から成る。具体的には、実施例１で示した放射性物質吸着シート２０に設けられた波形中芯部材２１の波形が交互に直交するように、放射性物質吸着シート２０が積層される。
フィルタ１ｃには、多数の間隙６が設けられているため、間隙６を流れる汚染水が放射性物質吸着布に触れやすい構造となっており、大量の汚染水を効果的に処理することができる。
フィルタ１ｃの高さＨ２は１５０ｍｍ、幅ｗは１５０ｍｍ、奥行きＤは１５０ｍｍとなっており、略立方体形状を呈している。フィルタ１ｃは、使用する放射性物質吸着シート２０の長さや幅を変えることで、自在に大きさを調整して成形することが可能である。すなわち、フィルタ１ｃの形状は、略立方体形状に限られるわけではなく、例えば、汚染水が流入する箇所を多くするために、高さＨ２をより高く設けることも可能である。また、ここでは、波形が交互に直交するように積層されているが、必ずしも1枚毎に積層する方向を変える必要はなく、例えば、２枚毎に積層する方向を変えるといった構成でもよい。
【００３１】
図８は、実施例３の放射性物質吸着フィルタの説明図を示している。図８に示すように、フィルタ１ｃは、波形が交互に直交するように積層されている。ここでは、放射性物質吸着シート（２０ｋ〜２０ｎ）が積層された状態を表している。
図８に示すように、放射性物質吸着シート２０ｋは、放射性物質吸着布２ｋ及び波形中芯部材２１ｋから成る。同様に、放射性物質吸着シート２０ｌは放射性物質吸着布２ｌ及び波形中芯部材２１ｌ、放射性物質吸着シート２０ｍは放射性物質吸着布２ｍ及び波形中芯部材２１ｍ、放射性物質吸着シート２０ｎは放射性物質吸着布２ｎ及び波形中芯部材２１ｎから成る。
放射性物質吸着布２ｋと波形中芯部材２１ｋは、図示しないが接着剤によって接着されている。同様に、放射性物質吸着布２ｌと波形中芯部材２１ｌ、放射性物質吸着布２ｍと波形中芯部材２１ｍ、放射性物質吸着布２ｎと波形中芯部材２１ｎも接着剤によって接着されている。
【００３２】
また、放射性物質吸着シート（２０ｋ〜２０ｎ）は、それぞれ波形が交互に直交するように積層されている。すなわち、放射性物質吸着シート２０ｋと放射性物質吸着シート２０ｌ、放射性物質吸着シート２０ｌと放射性物質吸着シート２０ｍ、放射性物質吸着シート２０ｍと放射性物質吸着シート２０ｎが、それぞれ波形が交互に直交するように積層されている。
実施例１と異なり、放射性物質吸着シート２０同士も、図示しないが接着剤によって接着されている。すなわち、放射性物質吸着シート２０ｋと放射性物質吸着シート２０ｌ、放射性物質吸着シート２０ｌと放射性物質吸着シート２０ｍ、放射性物質吸着シート２０ｍと放射性物質吸着シート２０ｎが接着剤によって接着されている。
【００３３】
放射性物質吸着シート（２０ｋ〜２０ｎ）には、波形中芯部材（２１ｋ〜２１ｎ）が設けられたことによって間隙（６ａ，６ｃ）が形成されている。また、放射性物質吸着シート（２０ｋ〜２０ｎ）が積層されたことによって間隙（６ｂ，６ｄ）が形成されている。この間隙（６ａ〜６ｄ）が汚染水の流路となる。矢印（１５ａ，１５ｂ）は、汚染水の流入方向又は浄化水の流出方向を示している。
図８に示すように、放射性物質吸着シート（２０ｋ，２０ｍ）が設けられることにより、間隙（６ａ，６ｂ）を通って、矢印１５ａの方向に、汚染水の流入又は浄化水の流出が可能となる。また、放射性物質吸着シート（２０ｌ，２０ｎ）が設けられることにより、間隙（６ｃ，６ｄ）を通って、矢印１５ｂの方向に、汚染水の流入又は浄化水の流出が可能となる。
このように、放射性物質吸着シート（２０ｋ〜２０ｎ）の波形が交互に直交するように積層されることにより、直交する２方向の流路ができ、縦横いずれの方向からも汚染水が放射性物質吸着フィルタに流れ込むことが可能となる。これにより、放射性物質吸着フィルタの姿勢によらず、汚染水中の放射性物質を効率よく吸着することができる。
【００３４】
図９は、実施例３の放射性物質吸着装置の説明図を示している。図９に示すように、放射性物質吸着装置１４は、複数のフィルタ１ｃ、ネット状容器１２及びロープ１３から成り、フィルタ１ｃはネット状容器１２の中に入れられている。ネット状容器１２には回収ロープ１３が設けられている。
放射性物質吸着装置１４は、浄化枡５３に配置されている。浄化枡５３は、取水口５６から汚染水５が流入し、浄化水７が排出口５４へと流れ出る構造である。
【００３５】
放射性物質吸着装置１４を浄化枡５３に設置する際には、グレーチング５８を取り外し、浄化枡５３の中に放射性物質吸着装置１４を沈めて行う。実施例２と同様に、ネット状容器は軟質の素材で形成されているため、変形が容易であり、浄化枡５３の形状に合わせて、設置することが可能である。また、図９に示すように、放射性物質吸着装置１４を２つ重ねて設置することも可能である。なお、設置場所の形状等によっては、３つ以上設置することも可能である。
回収の際には、各放射性物質吸着装置１４に設けられた回収ロープ１３を把持して引き上げることで、容易に回収が可能である。また、回収ロープ１３は、放射性物質吸着装置１４が流れて排出口５４を塞いでしまう等の、配管のつまりを防止する役割も果たしている。
【００３６】
放射性物質吸着装置１４は、実施例２における放射性物質吸着装置１１と構造や使用方法の点で類似しているが、放射性物質吸着装置１４を構成するフィルタ１ｃの場合は、波形中芯部材２１の波形が交互に直交するように積層されているため、放射性物質吸着フィルタの姿勢によらずに、放射性物質の効率的な吸着が可能であるという利点を有する。
【産業上の利用可能性】
【００３７】
本発明は、放射性物質を含んだ汚染水の浄化処理設備に有用である。
【符号の説明】
【００３８】
１，１ａ〜１ｃ  フィルタ
２，２ｅ〜２ｎ  放射性物質吸着布
３  フレーム
５  汚染水
６，６ａ〜６ｄ  間隙
７  浄化水
１１，１４  放射性物質吸着装置
１２  ネット状容器
１３  回収ロープ
１５ａ，１５ｂ  矢印
２０，２０ｅ，２０ｆ  放射性物質吸着シート
２１，２１ｅ，２１ｆ  波形中芯部材
５３  浄化枡
５４  排出口
５６  取水口
５８  グレーチング
Ｄ  奥行き
Ｈ  高さ
Ｌ  長さ
Ｒ  直径
Ｗ  幅
【図１】
2019066493.tif 000003
【図２】
2019066493.tif 000004
【図３】
2019066493.tif 000005
【図４】
2019066493.tif 000006
【図５】
2019066493.tif 000007
【図６】
2019066493.tif 000008
【図７】
2019066493.tif 000009
【図８】
2019066493.tif 000010
【図９】
2019066493.tif 000011